(57)【要約】【課題】コンセントを増やすための電気工事を省略できて、手洗器の設置が容易なトイレ設備を提供する。【解決手段】トイレ設備は、便器装置１と手洗器を備える。便器装置１は、ボウル６と、ボウル６に設置される便器用電気機器７と、外部電源１００に電気的に接続され、便器用電気機器７へ給電するための第一電源コード８と、給電接続部９を有する。給電接続部９は、他の電気機器に対して電気的に接続可能であり、第一電源コード８を介して供給された外部電源１００からの電力を他の電気機器に供給するように構成されている。手洗器は、手洗器用電気機器と、手洗器用電気機器へ給電するための第二電源コード２１を有する。第二電源コード２１は、給電接続部９に電気的に接続される。【選択図】図２
2018119282.tif 000002
【特許請求の範囲】
【請求項１】
便器装置と手洗器とを備えるトイレ設備であって、
前記便器装置は、
ボウルと、
前記ボウルに設置される便器用電気機器と、
外部電源に電気的に接続され、前記便器用電気機器へ給電するための第一電源コードと、
他の電気機器に対して電気的に接続可能であり、前記第一電源コードを介して供給された前記外部電源からの電力を前記他の電気機器に供給するように構成された給電接続部と、を有し、
前記手洗器は、
手洗器用電気機器と、
前記手洗器用電気機器へ給電するための第二電源コードと、を有し、
前記第二電源コードは、前記給電接続部に電気的に接続されることを特徴とするトイレ設備。
【請求項２】
前記便器用電気機器は、局部洗浄装置を含むことを特徴とする請求項１に記載のトイレ設備。
【請求項３】
前記手洗器用電気機器は、電磁弁を含むことを特徴とする請求項１または２に記載のトイレ設備。
【請求項４】
前記便器装置と前記手洗器の間に位置する配管カバーをさらに備え、
前記手洗器は、前記配管カバー内に収容される給水管と排水管をさらに有し、
前記第二電源コードは、前記配管カバー内を通って、前記給電接続部に電気的に接続されることを特徴とする請求項１乃至３のいずれか一項に記載のトイレ設備。
【請求項５】
前記便器装置は、前記ボウル内の水が排水される排水部と、水道管に接続され、前記ボウル内に前記水道管からの水を供給する給水部と、をさらに有し、
前記給水管は、前記水道管に接続され、
前記排水管は、前記排水部に接続されることを特徴とする請求項４に記載のトイレ設備。
【請求項６】
前記給電接続部は、コンセントを含むことを特徴とする請求項１乃至５のいずれか一項に記載のトイレ設備。
【発明の詳細な説明】
【技術分野】
【０００１】
本発明は、トイレ設備に関する。
【背景技術】
【０００２】
特許文献１には、温水洗浄装置を備える便器が設置されたトイレが記載されている。トイレの壁にはコンセントが１つ設けられており、このコンセントに温水洗浄装置のプラグが差し込まれている。
【先行技術文献】
【特許文献】
【０００３】
【特許文献１】特開２０１１−６９１２１号公報
【発明の概要】
【発明が解決しようとする課題】
【０００４】
特許文献１等に記載の従来のトイレでは、自動水栓等の電気機器を備えた手洗器をさらに設置するためには、例えば、コンセントを増やすための電気工事を行う必要があり、設置に手間がかかる。
【０００５】
上記事情に鑑みて、本発明は、コンセントを増やすための電気工事を省略できて、手洗器の設置が容易なトイレ設備を提供することを、目的とする。
【課題を解決するための手段】
【０００６】
本発明に係る一態様のトイレ設備は、便器装置と手洗器とを備える。
【０００７】
前記便器装置は、ボウルと、前記ボウルに設置される便器用電気機器と、外部電源に電気的に接続され、前記便器用電気機器へ給電するための第一電源コードと、給電接続部と、を有する。前記給電接続部は、他の電気機器に対して電気的に接続可能であり、前記第一電源コードを介して供給された前記外部電源からの電力を前記他の電気機器に供給するように構成されている。
【０００８】
前記手洗器は、手洗器用電気機器と、前記手洗器用電気機器へ給電するための第二電源コードと、を有する。前記第二電源コードは、前記給電接続部に電気的に接続される。
【発明の効果】
【０００９】
本発明によれば、コンセントを増やすための電気工事を省略できて、手洗器の設置が容易なトイレ設備を提供することができる。
【図面の簡単な説明】
【００１０】
【図１】図１は、本発明に係る実施形態１のトイレ設備を示す斜視図である。
【図２】図２は、同上のトイレ設備の要部を示す斜視図である。
【図３】図３は、本発明に係る実施形態２のトイレ設備の便器装置を示す斜視図である。
【図４】図４は、本発明に係る実施形態３のトイレ設備の便器装置を示す斜視図である。
【発明を実施するための形態】
【００１１】
（実施形態１）
図１には、実施形態１のトイレ設備が示されている。トイレ設備は、便器装置１と、手洗器２と、配管カバー３と、カウンター４と、トイレットペーパーのホルダー５を備える。
【００１２】
便器装置１は、トイレルームの床に設置され、手洗器２、配管カバー３、及びカウンター４は、トイレルームの壁（側壁）に設置されている。ホルダー５は、カウンター４の下面に取り付けられている。手洗器２と配管カバー３は、トイレルームの壁（側壁）に沿って一方向に並んで位置する。以下では、配管カバー３に対して手洗器２が位置する側を前方とし、その反対側を後方とし、トイレルームの壁（側壁）に対して手洗器２が位置する側を左方とし、その反対側を右方として、各構成について説明する。各図において、矢印Ｘで示す方向が前方であり、矢印Ｙで示す方向が右方であり、矢印Ｚで示す方向が上方である。
【００１３】
まず、便器装置１について詳しく説明する。
【００１４】
便器装置１は、腰掛式のタンクレスの水洗便器である。図２に示すように、便器装置１は、ボウル６と、ボウル６に設置される便器用電気機器７と、外部電源１００に電気的に接続され、便器用電気機器７へ給電するための第一電源コード８と、給電接続部９を備える。給電接続部９は、便器用電気機器７以外の他の電気機器に対して電気的に接続可能であり、第一電源コード８を介して供給された外部電源１００からの電力を、接続された他の電気機器に供給するように構成されている。
【００１５】
便器装置１はさらに、ボウル６を前側と左右両側から覆う平断面略Ｃ字状のスカート部１０と、左右一対の側カバー部１１と、後カバー部１２と、便座１３と、便蓋１４と、上カバー部１５を備える。スカート部１０、左右一対の側カバー部１１、後カバー部１２、閉状態の便蓋１４、及び上カバー部１５は、便器装置１の外殻を構成する。
【００１６】
上カバー部１５は、ボウル６の後斜め上方に位置し、左右一対の側カバー部１１と後カバー部１２の上方に位置する。上カバー部１５には、便座１３及び便蓋１４が回転可能に取り付けられている。上カバー部１５は、下方に開口した箱型であり、その内部には、便器用電気機器７が収容される。
【００１７】
便器装置１はさらに、ボウル６内の水が排水される排水部１６と、水道管に接続され、ボウル６内に水道管からの水を供給する給水部１７を備える。
【００１８】
排水部１６は、ボウル６の底部分に一端が接続され、姿勢の切替が可能な排水トラップと、排水トラップが収納されるトラップケースと、トラップケースの底部から後方に延びた円筒状の排水筒部１８を有する。排水筒部１８は、トイレルームの後側の壁に設けられた下水接続管に接続される。本実施形態では、排水筒部１８に、手洗器２の排水管２２が接続される接続口１８０が設けられている。
【００１９】
給水部１７は、給水ホースであり、トイレルーム内に露出した止水栓１０１に、通水可能に接続される。止水栓１０１は、本実施形態では、トイレルームの後側の壁から前方に突出しているが、トイレルームの床から上方に突出してもよい。給水部１７は、止水栓１０１を介して水道管に接続されている。
【００２０】
便器用電気機器７は、第一電源コード８を介して供給された外部電源１００からの電力によって駆動する機器であり、例えば、利用者の局部を温水洗浄する局部洗浄装置７０を含む。便器用電気機器７は、利用者の局部を乾燥させる乾燥装置、ボウル６内を脱臭する脱臭装置、便座１３を加温する便座用ヒーター、排水トラップの姿勢を切り替える姿勢切替装置、利用者の有無を検知する人感センサー等を含む。便器用電気機器７はさらに、便座１３及び便蓋１４を開閉させる開閉装置、上記の各装置を制御する制御回路等を含む。なお、便器用電気機器７は、上記以外の装置をさらに含んでもよいし、上記の装置の一部のみを含んでもよい。
【００２１】
第一電源コード８は、その先端に差込プラグ８０を有する。外部電源１００は、本実施形態では、差込プラグ８０が抜き差し自在な、２つの差込口を有するコンセントである。外部電源１００は、トイレルームの後側の壁に設けられている。
【００２２】
給電接続部９は、２つの差込口を有するコンセントであり、一般的な電気機器が備える差込プラグが１つ差込可能である。給電接続部９は、便器装置１の外殻に、外部に向けて露出するように設けられる。本実施形態では、給電接続部９は、上カバー部１５のうち、手洗器２側を向く右側の壁に配されている。
【００２３】
続いて、図１に示す手洗器２について詳しく説明する。
【００２４】
手洗器２は、手洗器用電気機器２０と、手洗器用電気機器２０へ給電するための第二電源コード２１と、排水管２２と、給水管２３と、水栓２４と、水栓２４からの水を受ける手洗ボウル２５と、手洗ボウル２５の下方に位置するカバー体２６を備える。手洗ボウル２５の底部には、排水孔２５０が設けられている。
【００２５】
手洗器用電気機器２０は、給水管２３の開閉を行う電磁弁、水栓２４に近づく利用者を検知する人感センサー、人感センサーでの検知結果に応じて電磁弁を開閉する制御部等を含む。人感センサーは、例えば、水栓２４に内蔵され、水栓２４の下方の利用者の手の有無を検知する。手洗器用電気機器２０はさらに、給水管２３を流れる水を温めるヒーターを含んでもよい。
【００２６】
図１及び図２に示すように、排水管２２の上流端は、排水孔２５０に接続され、排水管２２の下流端は、便器装置１の排水部１６（本実施形態では排水筒部１８の接続口１８０）に接続される。排水管２２は、上流側の部分に、湾曲したトラップ部分を有する。このトラップ部分が、カバー体２６内に収容されている。排水管２２は、トラップ部分よりも下流側の部分が、トイレルームの右側の壁に沿って後方に延びた後、下方に延び、さらに左方へと延びて、接続口１８０に接続される。排水管２２は、下流側ほど下方に位置するように勾配をつけて配される。
【００２７】
給水管２３の上流端は、止水栓１０１に接続され、給水管２３の下流端は、水栓２４に接続される。電磁弁は、給水管２３のうち、水栓２４よりも上流側の部分に設けられる。給水管２３は、排水管２２のトラップ部分よりも下流側の部分に沿うように、トイレの右側の壁に沿って後方に延びた後、下方に延び、さらに左下方へと延びて、止水栓１０１に接続される。
【００２８】
第二電源コード２１の長手方向の一端は、手洗器用電気機器２０に電気的かつ機械的に接続される。第二電源コード２１の長手方向の他端には、差込プラグ２１０が設けられている。この差込プラグ２１０が、給電接続部９に電気的かつ機械的に接続される。第二電源コード２１は、排水管２２のトラップ部分よりも下流側の部分に沿うように、トイレルームの右側の壁に沿って後方に延びた後、下方に延び、さらに左方及び上方へと延びて、給電接続部９に接続される。
【００２９】
続いて、配管カバー３について詳しく説明する。
【００３０】
配管カバー３は、トイレルームの右側の壁に沿って前後方向に延びる横カバー部３０と、トイレルームの右側の壁に沿って上下方向に延びる縦カバー部３１を有する。縦カバー部３１は、横カバー部３０の後端部の下方に位置する。
【００３１】
横カバー部３０と縦カバー部３１のそれぞれは、略半角筒状である。縦カバー部３１の上下長さは、止水栓１０１や排水部１６の接続部位（本実施形態では接続口１８０）の高さに応じて、適宜設定される。
【００３２】
カバー部３０，３１のそれぞれは、トイレルームの右側の壁に、ねじ等の取付具で取り付けられる。なお、カバー部３０，３１のそれぞれは、トイレルームの右側の壁にねじ等の取付具で取り付けられたベース部材に対して、引っ掛けることで取り付けられてもよい。
【００３３】
排水管２２と給水管２３と第二電源コード２１のうち、手洗器２よりも後方に位置し、かつトイレルームの右側の壁に沿った部分が、配管カバー３によって覆われる。
【００３４】
以上説明した本実施形態のトイレ設備では、手洗器２の手洗器用電気機器２０の第二電源コード２１が、便器装置１が備える給電接続部９に対して電気的に接続されている。そのため、本実施形態のトイレ設備では、トイレルームの壁に手洗器２用のコンセントを増やすための電気工事が不要であり、手洗器２の設置が容易である。
【００３５】
また、本実施形態のトイレ設備では、手洗器２の給水管２３は、便器装置１の給水部１７が接続される止水栓１０１に接続され、手洗器２の排水管２２は、便器装置１の排水部１６（排水筒部１８の接続口１８０）に接続されている。そのため、本実施形態のトイレ設備では、手洗器２の給水及び排水のための構造を別途設ける場合に比べて、手洗器２の給水及び排水のための工事の簡略化を図ることができる。
【００３６】
また、本実施形態のトイレ設備では、手洗器２の第二電源コード２１を、給水管２３及び排水管２２が収容される配管カバー３内に収めることで、第二電源コード２１の露出を抑えることができる。そのため、本実施形態のトイレ設備では、外観の低下や第二電源コード２１の断線を抑制することができる。
【００３７】
また、本実施形態のトイレ設備では、第二電源コード２１の露出する部分（配管カバー３によって覆われていない部分）を、排水管２２に沿わせるようにしたことで、外観の低下の抑制をさらに図ることができる。
【００３８】
また、本実施形態のトイレ設備では、給電接続部９をコンセントをしたことで、給電接続部９を、手洗器２以外の他の電気機器用の電源として利用することも可能である。
【００３９】
（変更例）
続いて、実施形態１のトイレ設備の変更例について説明する。
【００４０】
給電接続部９は、３つ以上の差込口を有するコンセントであってもよい。また、給電接続部９は、便器用電気機器７以外の他の電気機器が電気的に接続可能であり、接続された他の電気機器に外部電源１００からの電力を供給するように構成されたものであればよく、コンセントに限らず、例えば、ＵＳＢポートであってもよい。また、給電接続部９は、コンセントとＵＳＢポートの両方を備えてもよい。また、給電接続部９は、非接触給電を行うように構成されてもよい。
【００４１】
外部電源１００は、コンセントに限らず、例えば、トイレルームの壁から引き出された電線であってもよい。
【００４２】
便器用電気機器７は、局部洗浄装置７０を含まなくてもよく、その他の便器用の電気機器であってもよい。
【００４３】
手洗器用電気機器２０は、電磁弁を含まなくてもよく、その他の手洗器用の電気機器であってもよい。
【００４４】
トイレ設備は、配管カバー３を備えなくてもよく、例えば、手洗器２の給水管２３、排水管２２、及び第二電源コード２１は、カウンター４の下面に取り付けてもよい。
【００４５】
手洗器２の排水管２２は、ボウル６の水が排水される排水部１６に接続されればよく、排水筒部１８に限らず、トラップケースに接続されてもよい。また、便器装置１が床に設けられた下水接続管に排水するタイプの場合には、トラップケースの排水口と下水接続管との間に設けられるアダプターに、手洗器２の排水管２２が接続されてもよい。
【００４６】
（実施形態２）
続いて、図３に示す実施形態２のトイレ設備について説明する。図３では、手洗器２の図示を省略しているが、手洗器２は、実施形態１の手洗器２と同様である。以下では、実施形態１のトイレ設備と同様の構成については図中に同一の符号を付して詳しい説明を省略し、実施形態１のトイレ設備とは異なる構成については、詳しく説明する。
【００４７】
実施形態２のトイレ設備では、便器装置１は、ボウル６に対して着脱自在に設置される温水洗浄便座装置１９を含む。
【００４８】
温水洗浄便座装置１９は、便座１９０、便蓋１９１、及び装置ケース１９２を含む。便座１９０及び便蓋１９１は、装置ケース１９２に対して回転可能に取り付けられている。装置ケース１９２に、便器用電気機器７の一部が内蔵されている。
【００４９】
装置ケース１９２には、例えば、局部洗浄装置７０、乾燥装置、脱臭装置、開閉装置、制御部等が内蔵される。便座１９０には、便座用ヒーター、人感センサー等が内蔵される。排水トラップの姿勢切替装置、この装置の制御部等は、ボウル６と一体に設けられる。
【００５０】
便器装置１は、便器用電気機器７へ給電するための第一電源コード８を２本備える。一方の第一電源コード８ａは、温水洗浄便座装置１９の便器用電気機器７へ給電するためのコードであり、他方の第一電源コード８ｂは、ボウル６と一体の便器用電気機器７へ給電するためのコードである。
【００５１】
第一電源コード８ｂの差込プラグ８０ｂには、２つの差込口が設けられており、第一電源コード８ａの差込プラグ８０ａが電気的かつ機械的に接続可能である。外部電源１００には、第一電源コード８ｂ及び第一電源コード８ａが電気的にかつ機械的に接続される。
【００５２】
温水洗浄便座装置１９はさらに、局部洗浄装置７０に水を供給するための給水パイプ１９３を備える。給水パイプ１９３は、止水栓１０１に接続される。
【００５３】
本実施形態では、給電接続部９は、装置ケース１９２のうち、手洗器２側を向く右側の壁に設けられている。
【００５４】
本実施形態のトイレ設備では、手洗器２の手洗器用電気機器２０の第二電源コード２１が、便器装置１の温水洗浄便座装置１９が備える給電接続部９に対して電気的に接続される。そのため、本実施形態のトイレ設備では、トイレルームの壁に手洗器２用のコンセントを増やす電気工事が不要であり、手洗器２の設置が容易である。
【００５５】
また、本実施形態のトイレ設備では、手洗器２の給水管２３は、便器装置１の給水部１７が接続される止水栓１０１に接続され、手洗器２の排水管２２は、便器装置１の排水部１６（排水筒部１８の接続口１８０）に接続される。そのため、本実施形態のトイレ設備では、手洗器２の給水及び排水のための構造を別途設ける場合に比べて、手洗器２の給水及び排水のための工事の簡略化を図ることができる。
【００５６】
また、本実施形態のトイレ設備では、手洗器２の第二電源コード２１を、給水管２３及び排水管２２が収容される配管カバー３内に収めることで、第二電源コード２１の露出を抑えることができる。そのため、本実施形態のトイレ設備では、外観の低下や第二電源コード２１の断線を抑制することができる。
【００５７】
実施形態２のトイレ設備は、上述した実施形態１のトイレ設備と同様の変更例を採用可能である。
【００５８】
（実施形態３）
続いて、図４に示す実施形態３のトイレ設備について説明する。図４では、手洗器２の図示を省略しているが、手洗器２は、実施形態１，２の手洗器２と同様である。以下では、実施形態１，２のトイレ設備と同様の構成については図中に同一の符号を付して詳しい説明を省略し、実施形態１，２のトイレ設備とは異なる構成については、詳しく説明する。
【００５９】
実施形態３のトイレ設備では、便器装置１は、ボウル６に対して着脱自在に設置される温水洗浄便座装置１９と、ボウル６と一体に設けられ、排水用の水が溜められるタンク２７を含む。便器装置１は、姿勢の切替が不可の排水トラップを備える。
【００６０】
温水洗浄便座装置１９は、実施形態２の温水洗浄便座装置１９と略同じ構造であるが、装置ケース１９２に給電接続部９が設けられていない。
【００６１】
本実施形態のトイレ設備では、タンク２７に給電接続部９が設けられている。タンク２７の給電接続部９は、温水洗浄便座装置１９の第一電源コード８ａに電気的に接続される。タンク２７の給電接続部９には、第一電源コード８ａを介して、外部電源１００からの電力が供給される。給電接続部９は、タンク２７のうち、手洗器２側を向く右側の壁に設けられている。
【００６２】
本実施形態のトイレ設備では、手洗器２の手洗器用電気機器２０の第二電源コード２１が、便器装置１のタンク２７が備える給電接続部９に対して電気的に接続される。そのため、本実施形態のトイレ設備では、トイレルームの壁に手洗器２用のコンセントを増やす電気工事が不要であり、手洗器２の設置が容易である。
【００６３】
また、本実施形態のトイレ設備では、手洗器２の給水管２３は、便器装置１の給水部１７が接続される止水栓１０１に接続され、手洗器２の排水管２２は、便器装置１の排水部１６（例えば排水トラップのトラップ部分よりも下流側の部分）に接続される。そのため、本実施形態のトイレ設備では、手洗器２の給水及び排水のための構造を別途設ける場合に比べて、手洗器２の給水及び排水のための工事の簡略化を図ることができる。
【００６４】
また、本実施形態のトイレ設備では、手洗器２の第二電源コード２１を、給水管２３及び排水管２２が収容される配管カバー３内に収めることで、第二電源コード２１の露出を抑えることができる。そのため、本実施形態のトイレ設備では、外観の低下や第二電源コード２１の断線を抑制することができる。
【００６５】
実施形態３のトイレ設備は、上述した実施形態１のトイレ設備と同様の変更例を採用可能である。
【００６６】
（効果）
上述した実施形態１乃至３のトイレ設備は、第一の特徴として、下記の構成を備える。
【００６７】
すなわち、実施形態１乃至３のトイレ設備は、便器装置１と手洗器２を備える。便器装置１は、ボウル６と、ボウル６に設置される便器用電気機器７と、外部電源１００に電気的に接続され、便器用電気機器７へ給電するための第一電源コード８と、給電接続部９を有する。給電接続部９は、他の電気機器に対して電気的に接続可能であり、第一電源コード８を介して供給された外部電源１００からの電力を他の電気機器に供給するように構成されている。
【００６８】
手洗器２は、手洗器用電気機器２０と、手洗器用電気機器２０へ給電するための第二電源コード２１と、を有する。第二電源コード２１は、給電接続部９に電気的に接続される。
【００６９】
上記の第一の特徴の構成を備えることで、実施形態１乃至３のトイレ設備では、手洗器２の手洗器用電気機器２０の駆動用の電力を、便器装置１の給電接続部９から得ることができる。そのため、実施形態１乃至３のトイレ設備では、トイレルームの壁に手洗器２用のコンセントを増やすための電気工事が不要であり、手洗器２の設置が簡単に行える。
【００７０】
また、実施形態１乃至３のトイレ設備は、第二の特徴として、下記の構成を付加的に備える。
【００７１】
すなわち、実施形態１乃至３のトイレ設備では、便器用電気機器７は、局部洗浄装置７０を含む。
【００７２】
上記の第二の特徴の構成を備えることで、実施形態１乃至３のトイレ設備では、外部電源１００から供給される電力によって局部洗浄装置７０の駆動が可能なうえ、電気工事無しで、手洗器用電気機器２０の駆動も可能である。
【００７３】
また、実施形態１乃至３のトイレ設備は、第三の特徴として、下記の構成を付加的に備える。
【００７４】
すなわち、実施形態１乃至３のトイレ設備では、手洗器用電気機器２０は、電磁弁を含む。
【００７５】
上記の第三の特徴の構成を備えることで、実施形態１乃至３のトイレ設備では、手洗器２の電磁弁の駆動用の電力を得るための電気工事を行う必要がなくて、手洗器２の設置が簡単に行える。
【００７６】
また、実施形態１乃至３のトイレ設備は、第四の特徴として、下記の構成を付加的に備える。
【００７７】
すなわち、実施形態１乃至３のトイレ設備では、便器装置１と手洗器２の間に位置する配管カバー３をさらに備える。手洗器２は、配管カバー３内に収容される給水管２３と排水管２２をさらに有する。第二電源コード２１は、配管カバー３内を通って、給電接続部９に電気的に接続される。
【００７８】
上記の第四の特徴の構成を備えることで、実施形態１乃至３のトイレ設備では、手洗器２の給水管２３と排水管２２が収容される配管カバー３で、第二電源コード２１を覆って、第二電源コード２１の露出を抑えることができる。
【００７９】
また、実施形態１乃至３のトイレ設備は、第五の特徴として、下記の構成を付加的に備える。
【００８０】
すなわち、実施形態１乃至３のトイレ設備では、便器装置１は、ボウル６内の水が排水される排水部１６と、水道管に接続され、ボウル６内に水道管からの水を供給する給水部１７をさらに有する。給水管２３は、水道管に接続され、排水管２２は、排水部１６に接続される。
【００８１】
上記の第五の特徴の構成を備えることで、実施形態１乃至３のトイレ設備では、便器装置１の給水用の構造（水道管）と排水用の構造（排水部１６）を利用して、手洗器２の給水と排水を行うことができる。そのため、実施形態１乃至３のトイレ設備では、電気工事が不要なうえ、手洗器２の給水と排水のための工事の簡略化も図ることができる。
【００８２】
また、実施形態１乃至３のトイレ設備は、第六の特徴として、下記の構成を付加的に備える。
【００８３】
すなわち、実施形態１乃至３のトイレ設備では、給電接続部９は、コンセントを含む。
【００８４】
上記の第六の特徴の構成を備えることで、実施形態１乃至３のトイレ設備では、手洗器２の第二電源コード２１の差込プラグをコンセントの差込口に差し込むといった方法で、手洗器用電気機器２０を給電接続部９に対して簡単に接続することができる。
【００８５】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００８６】
１    便器装置
２    手洗器
３    配管カバー
６    ボウル
７    便器用電気機器
８    第一電源コード
９    給電接続部
１６  排水部
１７  給水部
２０  手洗器用電気機器
２１  第二電源コード
２２  排水管
２３  給水管
【図１】
2018119282.tif 000003
【図２】
2018119282.tif 000004
【図３】
2018119282.tif 000005
【図４】
2018119282.tif 000006